(57)【要約】      （修正有）【課題】装着者の頭部の形状に関わらず、密着性が高く着け心地のよいカチューシャを提供する。【解決手段】カチューシャ１は、前後方向に幅広な短冊状を有した柔軟性を有する本体部２と、当該本体部の外周縁を囲繞する可塑性を有したワイヤーと、上記本体部の内側面に設けられるとともに弾性により略Ｕ字形を維持する２本の骨部材３Ａ、３Ｂとを備えている。上記本体部２を、上記骨部材の位置する装着部２ａと、当該装着部よりも両側に突出した操作部２ｂとによって構成するとともに、当該本体部の前方縁部Ｆを構成する曲線の長さを、後方縁部を構成する曲線の長さよりも短く設定した。装着する際には、上記本体部の前方縁部を頭部に沿って密着させた状態（図４（ａ））から、上記操作部を装着者Ｈの耳に沿って前方に変形させて、後方縁部を頭部に密着させる（図４（ｂ））。【選択図】図４
2020110497.tif 000002
【特許請求の範囲】
【請求項１】
装着者の頭部に装着されるカチューシャであって、
前後方向に幅広な短冊状を有した柔軟性を有する本体部と、当該本体部の外周縁を囲繞する可塑性を有したワイヤーと、上記本体部の内側面に設けられるとともに弾性により略Ｕ字形を維持する２本の骨部材とを備え、
上記本体部を、上記骨部材の位置する装着部と、当該装着部よりも両側に突出した操作部とによって構成するとともに、当該本体部の前方縁部を構成する曲線の長さを、後方縁部を構成する曲線の長さよりも短く設定し、
装着する際には、上記本体部の前方縁部を頭部に沿って密着させた状態で、上記操作部を装着者の耳に沿って前方に変形させるようにしたことを特徴とするカチューシャ。
【請求項２】
上記本体部の後方縁部のうち、中央部分を後方に向けて膨出する曲線によって構成し、当該中央部分と上記操作部との間の部分を前方に向けて膨出する曲線によって構成したことを特徴とする請求項１に記載のカチューシャ。
【請求項３】
本体部の内側面に、上記骨部材の端部を収容するポケットを設けて、上記骨部材を本体部に対して着脱自在としたことを特徴とする請求項１または請求項２のいずれかに記載のカチューシャ。
【請求項４】
上記２本の骨部材を、上記本体部の内側面に沿って平行に設けたことを特徴とする請求項１ないし請求項３のいずれかに記載のカチューシャ。
【請求項５】
上記骨部材にウィッグを装着したことを特徴とする請求項４に記載のカチューシャ。
【請求項６】
上記２本の骨部材を、上記本体部の中央部で交差するように設けたことを特徴とする請求項１ないし請求項３のいずれかに記載のカチューシャ。
【請求項７】
上記本体部を中央部分で分割した略木の葉状を有する２つの木の葉状部材によって構成するとともに、上記ワイヤーを各木の葉状部材の外周縁を囲繞するように設け、
各木の葉状部材の先端部同士を中央部分で結び合わせることにより、上記本体部を構成することを特徴とする請求項６に記載のカチューシャ。
【発明の詳細な説明】
【技術分野】
【０００１】
本発明は装着者の頭部に装着するカチューシャに関し、詳しくは前後方向の幅が広く形成されたカチューシャを提供するものである。
【背景技術】
【０００２】
従来、装着者の頭部に装着するカチューシャとして、頭頂部を隠すこと等を目的として、前後方向の幅を広くしたものが知られている（特許文献１）。
特許文献１に記載されたカチューシャは、中央部分を前後方向に広くした略ラグビーボール形状を有しており、その外縁および中央部には前方から見て略Ｕ字形を維持する弾性を有した樹脂製の帯体が設けられている。
【先行技術文献】
【特許文献】
【０００３】
【特許文献１】特開平１１−７５９３０号公報
【発明の概要】
【発明が解決しようとする課題】
【０００４】
しかしながら、特許文献１のように前後方向の幅が広いカチューシャは、頭部の形状が人それぞれであることから密着性に難がある。
具体的に説明すると、カチューシャを頭部に装着する際にその両端部を耳の後方に位置させるようにするため、カチューシャの前方縁部が頭部に接触する接触長さと、後方縁部の接触長さとが異なっている。このため図６に示すように、仮にカチューシャの前方縁部を頭部に密着させると、接触長さの違いから後方縁部と頭部との間に隙間が形成されてしまう。
特に特許文献１のカチューシャは、前方縁部および後方縁部がそれぞれ弾性を有する素材によって構成されていることから、これら前方縁部および後方縁部を様々な形状を有した装着者の頭部に密着させることができず、そのため着け心地が悪いという問題があった。
このような問題に鑑み、本発明は、装着者の頭部の形状に関わらず密着性が高く着け心地のよいカチューシャを提供するものである。
【課題を解決するための手段】
【０００５】
すなわち請求項１の発明にかかるカチューシャは、装着者の頭部に装着されるカチューシャであって、
前後方向に幅広な短冊状を有した柔軟性を有する本体部と、当該本体部の外周縁を囲繞する可塑性を有したワイヤーと、上記本体部の内側面に設けられるとともに弾性により略Ｕ字形を維持する２本の骨部材とを備え、
上記本体部を、上記骨部材の位置する装着部と、当該装着部よりも両側に突出した操作部とによって構成するとともに、当該本体部の前方縁部を構成する曲線の長さを後方縁部を構成する曲線の長さよりも長く設定し、
装着する際には、上記本体部の前方縁部を頭部に沿って密着させた状態で、上記操作部を装着者の耳に沿って前方に変形させるようにしたことを特徴としている。
【発明の効果】
【０００６】
本発明のカチューシャも、図４（ａ）に示すように、装着する際に本体部の前方縁部を頭部に沿って密着させただけでは、後方縁部と頭部との間に隙間が形成されてしまう。
これに対し本発明のカチューシャは、本体部の前方縁部を構成する曲線の長さを後方縁部を構成する曲線の長さよりも長く設定したことにより、カチューシャを装着した際における前方縁部および後方縁部の頭部への接触長さを実際の頭部の形状に一致させやすくなっている。
そのうえで、図４（ｂ）に示すように上記操作部を装着者の耳に沿って前方に変形させると、本体部全体が変形して特に後方縁部による頭部への接触長さを微調整することができ、様々な頭部の形状に後方縁部の形状を一致させることができる。
そして、本体部の外周縁に設けた可塑性を有するワイヤーを装着者の頭部の形状に従って変形させることで、本体部の前方縁部および後方縁部が装着者の頭部に密着するため、着け心地のよいカチューシャを得ることができる。
【図面の簡単な説明】
【０００７】
【図１】第１実施例にかかるカチューシャの正面図
【図２】カチューシャの側面図
【図３】カチューシャを平面的に展開した状態の底面図
【図４】カチューシャを装着する手順を説明する図
【図５】従来のカチューシャを装着した状態を説明する図
【図６】第２実施例にかかるカチューシャの正面図
【図７】カチューシャを平面的に展開した状態の底面図
【図８】本体部を構成する部材を説明する図
【発明を実施するための形態】
【０００８】
以下図示実施例について説明すると、図１〜図４は本発明にかかる第１実施例のカチューシャ１を示し、図１は正面図を、図２は左から見た側面図を、図３はカチューシャ１を平面的に展開してこれを下方からみた底面図を、図４は当該カチューシャ１を装着する手順を説明する図となっている。
本発明にかかるカチューシャ１には前後の区別があり、図２、図４では図示左方が前方となり、図３では図示上方が前方となっている。また以下の説明において、カチューシャ１における装着者Ｈの頭部側の面を内側面と呼び、外部に露出する側の面を外側面と呼ぶ。
本実施例のカチューシャ１は、前後方向に幅広な短冊状を有した本体部２と、本体部２の内側面に設けられた略Ｕ字形を有する２つの骨部材３Ａ、３Ｂとから構成されている。
上記カチューシャ１を装着すると、図４（ｂ）に示すように上記本体部２の中央部分が装着者Ｈの頭頂部に位置し、両端部が装着者Ｈの耳の後方に位置するようになっている。また、本体部２は前後方向に幅広に形成されていることから、装着した際にはカチューシャ１によって装着者Ｈの頭部を広範囲に覆うことができる。
【０００９】
図３に示すように、本体部２は前後方向に幅広で、左右方向に細長い短冊状を有しており、略同じ形状の２枚の布製の部材の外周縁同士を縫い合わせた構成を有している。
上記本体部２を構成する素材としては、全体的に柔軟性を有していれば、布製に限らず樹脂製のシート等も利用することも可能であり、また本体部の外側面にプリントや装飾品を装着したり、内側面の素材をメッシュ素材にするなど、様々な態様を採用することができる。
また図２に示すように、カチューシャ１の左側の外側面にはロゴプレート４を付しており、カチューシャ１を装着する際に、カチューシャ１の前後を判別するための目印として使用することができる。
【００１０】
また本実施例の本体部２の外周縁には、上記縫合部分の内側に金属製のワイヤー５が縫い合わされており、本体部２を任意の形状に変形させることが可能となっている。
上記ワイヤー５は、装着者Ｈが容易に変形させることが可能な程度の柔軟性を有する一方、変形させた後にその形状を維持する可塑性を有している。また上記ワイヤー５は外部から見ることはできないものの、錆の発生を防止するために樹脂製のカバーによって被覆されていることが望ましい。
このような構成により、上記本体部２の外周縁を装着者Ｈの頭部の形状に従って任意の形状に変形させることが可能となり、また変形させた後はその形状を維持することで頭部に密着した状態を維持するようになっている。
【００１１】
図３に示すように、本体部２の外周縁は、前方に形成された前方縁部Ｆおよび後方に形成された後方縁部Ｒがそれぞれ曲線によって構成されている。
図４に示すように、本実施例のカチューシャ１は前後方向に幅広に形成されているため、当該カチューシャ１を装着者Ｈの頭部に装着すると、前方縁部Ｆの頭部への接触長さと、後方縁部Ｒの頭部への接触長さが異なることとなり、一般的に前方縁部Ｆの接触長さは後方縁部Ｒの接触長さに比べて長くなる。
そこで本実施例の本体部２では、実際にカチューシャ１を頭部に装着した状態から逆算して、前方縁部Ｆの曲線の長さを後方縁部Ｒの曲線の長さよりも長く設定したものとなっている。
より具体的には、上記前方縁部Ｆは前方に向けて膨出する一つの略円弧状の曲線によって構成されているのに対し、上記後方縁部Ｒは、中央部分に位置して後方に向けて膨出する第１曲線Ｒａと、当該中央部分の両側に位置して前方に向けて膨出する第２曲線Ｒｂとによって構成されている。
【００１２】
さらに上記本体部２は、上記骨部材３Ａ、３Ｂが設けられて装着者Ｈの頭部に密着する装着部２ａと、当該装着部２ａよりも両側に突出してカチューシャ１を装着する際に微調整を行うための操作部２ｂとによって構成されている。
上記骨部材３Ａ、３Ｂは、図１に示すように前方から見て略Ｕ字形を有しており、弾性を有する金属製の部材を布等によって覆った構成を有している。なお金属製にかぎらず弾性を有した樹脂によって作成することも可能である。
これらの骨部材３Ａ、３Ｂは、カチューシャ１を装着者Ｈに装着した際には、装着者の頭部の形状に沿って密着するようになっており、その弾性によってカチューシャ１の脱落を防止するものとなっている。
そして本実施例のカチューシャ１では、図２に示すように、骨部材３Ａ、３Ｂは前後方向に並行して設けられており、本実施例では前方の骨部材３Ａを後方の骨部材３Ｂよりも１〜２ｍｍ程度太く設定している。
また上記骨部材３Ａ、３Ｂの端部は本体部２の装着部２ａの内側面に形成されたポケット６に収容され、上記ポケット６は図２、図３に示すように前後方向に２つずつ設けられるとともに、前後方向に開いた状態で設けられている。上記ポケット６はカバーによって本体部２の内側面に覆われているが、当該カバーにはポケット６を縫い合わせるためのステッチが表れている。
一方、骨部材３Ａ、３Ｂの中央部分は上記本体部２の内側面に連結されない構成となっており、骨部材３Ａ、３Ｂの中央部分は本体部２の中央部分に対して比較的自由に前後方向への移動が許容されている。
【００１３】
上記操作部２ｂは上記装着部２ａよりも両端部側に突出した位置、すなわち上記骨部材３Ａ、３Ｂによる弾性が装着者Ｈの頭部に作用しない部分に設けられているため、上記操作部２ｂは自由に変形させることが可能となっている。
また上記操作部２ｂを構成する部分にも本体部２の外周縁に沿ってワイヤー５が設けられているため、装着者Ｈがこの操作部２ｂを変形させた後も、その形状が維持されるようになっている。
そして後に詳述するが、カチューシャ１を装着する際には、操作部２ｂを図４（ａ）に示す状態から、図４（ｂ）に示すように装着者Ｈの耳に沿って前方に変形させるようになっている。
このように上記操作部２ｂを前方に変形させると、本体部２の全体が変形するが、特に操作部２ｂの後方に連続する後方縁部Ｒの形状が引っ張られて変形することとなる。
その結果、後方縁部Ｒを構成する曲線の見かけ上の長さを変えることができ、後方縁部Ｒを頭部に密着させた際における、後方縁部Ｒの頭部への接触長さを微調整することが可能となり、後方縁部Ｒを頭部に沿って密着させることが可能となる。
また本実施例では、後方縁部Ｒにおける上記第２曲線Ｒｂは、図４（ａ）に示した前方に向けて膨出する曲線となっているが、操作部２ｂを前方に変形させることで図４（ｂ）に示すように変形し、中央部分の第１曲線Ｒａと滑らかに連続する曲線を形成するようになっている。
【００１４】
以下、上記構成を有するカチューシャ１の装着方法を図４を用いて説明すると、図４（ａ）はカチューシャ１を頭部に仮装着した状態を、図４（ｂ）はカチューシャ１が頭部に装着された状態を示している。
カチューシャ１を装着する前に、上記本体部２に予め上記２本の骨部材３Ａ、３Ｂを装着し、また本体部２の操作部２ｂは前方に曲がっていない状態にされている。
この状態から、装着者Ｈは本体部２に設けたロゴプレート４が頭部の左側に位置するようにし、上記骨部材３Ａ、３Ｂを押し広げながらカチューシャ１を頭部に仮装着する。
この時、装着者Ｈは本体部２の前方縁部Ｆを頭部の所要の位置に手で押さえながら、本体部２が耳の後方を通過するように装着する。これにより、前方に位置する骨部材３Ａが頭部に密着し、また本体部２の前方縁部Ｆのワイヤー５が頭部の形状に添って変形して密着する。
このカチューシャ１を仮装着した状態では、本体部２が前後方向に幅を有していることから、前方縁部Ｆが頭部に密着しているものの、後方縁部Ｒは頭部に密着しておらず、これらの間には隙間が形成されている。
また装着者Ｈの耳の後方には、上記本体部２の操作部２ｂとの間に隙間が形成されている。
【００１５】
このようにしてカチューシャ１を仮装着したら、図４（ｂ）に示すように装着者Ｈは上記本体部２の端部に形成された操作部２ｂを、装着者Ｈの耳に沿うようにして前方に変形させる。
上記操作部２ｂを前方に変形させると、本体部２が変形して後方縁部Ｒが下方に引っ張られ、後方縁部Ｒの中央部分が下方に移動して頭部に接近し、また本体部２の後方側に位置するポケット６が後方を向くことで、後方の骨部材３Ｂの中央部分が仮装着のときよりも後方に移動する。
そして装着者Ｈは、再び本体部２の前方縁部Ｆを抑えたまま、本体部２の後方縁部Ｒを頭部に密着させるように押えつける。これにより、後方の骨部材３Ｂが頭部に密着し、また後方縁部Ｒに位置するワイヤー５が頭部に沿って密着するように変形する。
このとき、上述したように本体部の前方縁部Ｆの曲線の長さを後方縁部Ｒの曲線の長さよりも長くしていることから、前方縁部Ｆおよび後方縁部Ｒにおける頭部への接触長さがそれぞれ頭部に一致しやすくなっている。
そのうえで、操作部２ｂを変形させて、後方縁部Ｒの接触長さを微調整することにより、様々な形状を有する装着者Ｈの頭部の形状に対しても、後方縁部Ｒを頭部に密着させることが可能となっている。
さらに、本体部２の後方縁部Ｒの第２曲線Ｒｂは、仮装着の際には前方に膨出する曲線状であったのに対し、操作部２ｂを前方に変形させると変形して第１曲線Ｒａに連続する滑らかな曲線を構成するため、装着状態での後方縁部Ｒの形状を自然に見せることが可能となっている。
そして、このようにして装着されたカチューシャ１は、２本の骨部材３Ａ、３Ｂによって頭部に保持されるとともに、上記本体部２に設けられたワイヤー５が可塑性を有していることから、前方縁部Ｆおよび後方縁部Ｒがそれぞれ頭部に密着した形状を維持するため、密着性の高い状態を維持することができ、着け心地が良く、また脱落しにくいものとなっている。
【００１６】
このように、本実施例のカチューシャ１によれば、装着者Ｈの頭部の形状に関わらず、これを頭部に密着させることができ、その結果着け心地がよいカチューシャ１を得ることができる。
特に本実施例のカチューシャ１は、上記本体部２の外周縁部を可塑性を有したワイヤー５によって囲繞することで、装着される頭部の形状に合わせてワイヤー５を変形させることができ、本体部２全体を頭部に密着させることができる。
その際、本体部２の後方縁部Ｒの長さを前方縁部Ｆの長さよりも長く設定したことで、前方縁部Ｆおよび後方縁部Ｒの頭部への接触長さをそれぞれ一致させることができ、前方縁部Ｆおよび後方縁部Ｒを頭部に密着させることができる。
特に、後方縁部Ｒについては、上記操作部２ｂを変形させることで後方縁部Ｒの見かけ上の接触長さを微調整することができるため、より頭部への密着性を高めることが可能となっている。
【００１７】
これに対し、図５に示す特許文献１のカチューシャ１０１は、本体部１０２の外周縁が弾性を有する帯部１０３によって構成されており、その形状を自由に変形させることができないようになっている。
特に、特許文献１のカチューシャ１０１はラグビーボール型を有しているため、また前方縁部と後方縁部の長さが同じとなっており、このため装着した際に前方縁部および後方縁部を頭部に密着させることができない。
つまり、当該カチューシャ１０１を装着するために、本体部１０２の前方縁部を頭部に密着させても、後方縁部を変形させることができないため、後方縁部と頭部との間には隙間が形成されてしまう。
したがって、カチューシャ１０１の全体を装着者Ｈの頭部に密着させることはできず、脱落しやすいという問題が生じていた。
【００１８】
また本実施例のカチューシャ１は、２本の骨部材３Ａ、３Ｂを前後に平行して設けていることから、骨部材３Ａ、３Ｂの弾性による頭部への圧迫を分散させることができ、特に後方の骨部材３Ｂを前方の骨部材３Ａよりも細くしたことで、頭部にかかる圧迫感が和ぐようになっている。
さらに本実施例のカチューシャ１は、使用後に上記骨部材３Ａ、３Ｂをポケット６から抜くことで、本体部２を図３に示したように平面的に広げて収納することが可能であり、省スペースにカチューシャ１を収納することが可能となっている。
また、骨部材３Ａ、３Ｂを本体部２に対して着脱自在としたことで、本体部２のみを洗濯することが可能であり、また本体部２のみを別途購入すれば、デザインの異なる本体部２に骨部材３Ａ、３Ｂを付け替えることにより、様々なデザインのカチューシャを選択して装着することが可能となる。
【００１９】
なお、図を用いての説明は省略するが、上記骨部材３Ａ、３Ｂに人工毛髪等からなるウィッグを連結することで、本実施例のカチューシャ１を簡易的なカツラとして使用することができる。
例えば、前方の骨部材３Ａにウィッグを装着し、当該骨部材３Ａを本体部２の前方側のポケット６に装着すると、ウィッグが本体部２の前方縁部Ｆより露出し、使用者の前髪部分を覆うことができる。
これと同様、後方の骨部材３Ｂにウィッグを装着し、当該骨部材３Ｂを本体部２の後方側のポケット６に装着すると、ウィッグが本体部２の後方縁部Ｒより露出し、使用者の後ろ髪部分を覆うことができる。
上記骨部材３Ａ、３Ｂは本体部２に対して交換可能であることから、適宜ウィッグ付きの骨部材３Ａ、３Ｂもしくはウィッグなしの骨部材３Ａ、３Ｂを本体部２に装着することが可能であり、また髪型を変えた複数セットのウィッグ付きの骨部材３Ａ、３Ｂを用意してもよい。
また上述したように、デザインの異なる本体部２を購入すれば、ウィッグ付きの骨部材３Ａ、３Ｂや本体部２を自在に組み合わせて、様々なファッションに対応することが可能となる。
【００２０】
図６〜図８は本発明にかかる第２実施例のカチューシャ１を示し、図６は当該カチューシャ１の正面図を、図７はカチューシャ１を平面的に展開してこれを下方からみた底面図を、図８は本体部２を構成する部材を説明する図となっている。なお、第１実施例に記載したカチューシャ１と共通する構成については同じ符号を付して説明するものとする。
本実施例のカチューシャ１を上記第１実施例のカチューシャ１と比較すると、第１に上記本体部２が図８に示すような２つの木の葉状部材２Ｒ、２Ｌによって構成されている点、第２に上記骨部材３Ａ、３Ｂが本体部２の中央部分で交差している点で、それぞれ相違している。
【００２１】
まず本実施例のカチューシャ１の本体部２は、図８に示す２つの木の葉状部材２Ｒ、２Ｌによって構成されている。これらの木の葉状部材２Ｒ、２Ｌには右左の別があり、左側の木の葉状部材２Ｌには外側面に上記ロゴプレート４が装着されている（図示せず）。
またこれら木の葉状部材２Ｒ、２Ｌの外周縁部には、第１実施例の本体部２と同様、柔軟性および可塑性を有するワイヤー５が設けられており、それぞれ木の葉状部材２Ｒ、２Ｌの形状を自由に変形させることが可能であるとともに、その形状を維持することができる。
さらに木の葉状部材２Ｒ、２Ｌには、その端部に上記骨部材３の端部を収容するポケット６が形成され、当該ポケット６よりも端部側となる位置には操作部２ｂが形成されている。
そして、図７に示すように、上記木の葉状部材２Ｒ、２Ｌの先端部同士を相互に結び付けることで本体部２を構成することができ、例えば木の葉状部材２Ｌの先端部に、木の葉状部材２Ｒの先端部を巻き付けて結び付けるようになっている。
また上記木の葉状部材２Ｒ、２Ｌの先端部同士を連結した形成した本体部２は、第１実施例のカチューシャ１と同様、後方縁部Ｒの長さが前方縁部Ｆの長さよりも長くなるよう、それぞれ木の葉状部材２Ｒ、２Ｌの前方縁部Ｆおよび後方縁部Ｒの形状が設定されており、また後方縁部Ｒにおける上記操作部２ｂに隣接した位置には上記第２曲線Ｒｂが形成されている。
【００２２】
次に本実施例の骨部材３Ａ、３Ｂは、第１実施例で用いた太さの異なる骨部材３Ａ、３Ｂを交差させて用いており、上述したようにカチューシャ１の中央部分で交差するよう、その両端が木の葉状部材２Ｒ、２Ｌに形成されたポケット６に収容されるようになっている。
そしてカチューシャ１を装着する際に、上記操作部２ｂを前方に向けて変形させると、上記交差部分を支点に骨部材３Ａ、３Ｂの両端部が前後に開閉するようになっている。
また、上記木の葉状部材２Ｒ、２Ｌの内側面には、上記結び目となる位置の近傍に、上記骨部材３Ａ、３Ｂを通過させて当該骨部材３の脱落を防止するためのループ７が設けられている。
なお、上記骨部材３Ａ，３Ｂについては、同じ太さのものを使用してもよい。
【００２３】
上記第２実施例にかかるカチューシャ１の装着方法について説明する。
まず、２本の骨部材３Ａ、３Ｂを中央部分で交差させた状態で、これらをそれぞれ上記木の葉状部材２Ｒ、２Ｌに設けたループ７に貫通させ、その後これらの端部をそれぞれポケット６に挿入する。
続いて、例えば木の葉状部材２Ｒの先端部を、上記骨部材３Ａ、３Ｂごと木の葉状部材２Ｌの先端部に巻き付け、木の葉状部材２Ｒ、２Ｌを連結して上記本体部２を形成する。
その後は、第１実施例と同様、形成した本体部２の前方縁部Ｆを密着させた状態でカチューシャ１を装着者Ｈの頭部に仮装着し、その後上記操作部２ｂを装着者Ｈの耳の形状に沿って前方に変形させる。
すると、本体部２の後方縁部Ｒが下方に移動し、また本体部２の変形に伴って、交差している２本の骨部材３Ａ、３Ｂが中央部分を支点として開きながら、頭部に接近する。
その後、装着者Ｈが本体部２の前方縁部Ｆを抑えながら、後方縁部Ｒを頭部に押し当てることで、後方縁部Ｒを構成するワイヤー５が頭部の形状に沿って変形し、また２本の骨部材３Ａ、３Ｂも頭部にそれぞれ密着して、カチューシャ１の装着が完了する。
【００２４】
なお、上記第１実施例のカチューシャ１では２本の骨部材３Ａ、３Ｂを前後に平行に設けているが、装着者Ｈの頭部の形状によっては、第２実施例のように中央部分で交差させたほうが、良好な装着感が得られる場合もある。
また骨部材３Ａ、３Ｂの両端部をポケット６で保持せず、直接本体部２に固定することも可能である。
【符号の説明】
【００２５】
１  カチューシャ                ２  本体部
２ａ  装着部                    ２ｂ  操作部
４  ロゴプレート                ５  ワイヤー
６  ポケット                    Ｈ  装着者
Ｆ  前方縁部                    Ｒ  後方縁部
Ｒａ  第１曲線                  Ｒｂ  第２曲線
【図１】
2020110497.tif 000003
【図２】
2020110497.tif 000004
【図３】
2020110497.tif 000005
【図４】
2020110497.tif 000006
【図５】
2020110497.tif 000007
【図６】
2020110497.tif 000008
【図７】
2020110497.tif 000009
【図８】
2020110497.tif 000010